(57)【要約】【課題】部品コストの上昇を抑制しつつ、アンテナを内蔵する無線通信モジュールの設置位置の自由度を高める。【解決手段】ラベルプリンタ１０１の制御部１５１に対してデータを入出力するＩ／Ｏ１５３に複数個のコネクタ１０８を接続してラベルプリンタ１０１のハウジングの少なくとも二箇所に配置しておき、無線ＬＡＮモジュール３０１を含むカード型媒体３０２用のカードスロット２０１とカード型媒体３０２用のインターフェース回路をなす回路基板２０４とを一体に備えるスロットモジュール２０２を、所望のコネクタ１０８に接続できるようにした。【選択図】図３
2011062861.tif 000002
【特許請求の範囲】
【請求項１】
画像形成部を制御部で制御して画像データに従った画像を記録媒体に形成する画像形成装置本体と、
前記制御部に対してデータを入出力する入出力回路に接続され、前記画像形成装置本体のハウジングの少なくとも二箇所に配置されたコネクタと、
前記コネクタに対して抜き差し自在なスロットコネクタと媒体を抜き差し自在に保持する媒体スロットとを備え、前記媒体スロットに差し込まれた無線ＬＡＮモジュールを含む前記媒体と前記スロットコネクタを介して接続される前記制御部との間のインターフェース機能をサポートするインターフェース回路を備えるスロットモジュールと、
前記コネクタにスロットコネクタが差し込まれた状態で前記スロットモジュールを前記画像形成装置本体に保持させる保持部と、
を備える画像形成装置。
【請求項２】
前記コネクタは、前記保持部を兼ねる、請求項１記載の画像形成装置。
【請求項３】
前記コネクタは、前記ハウジングの少なくとも異なる二面に配置されている、請求項１又は２記載の画像形成装置。
【請求項４】
画像形成部を制御部で制御して画像データに従った画像を記録媒体に形成する画像形成装置において、
前記制御部に対してデータを入出力する入出力回路に接続された複数個のコネクタを前記画像形成装置本体のハウジングの少なくとも二箇所に配置しておき、
無線ＬＡＮモジュールを含む媒体用の媒体スロットと前記媒体用のインターフェース回路とを一体に備えるスロットモジュールを所望の前記コネクタに接続できるようにした、
ことを特徴とする画像形成装置。
【発明の詳細な説明】
【技術分野】
【０００１】
本発明は、無線ＬＡＮモジュールの装着が可能な画像形成装置に関する。
【背景技術】
【０００２】
近年、画像形成装置の分野においても、無線ＬＡＮモジュールを介して画像データ等を無線で送信することが一般に行なわれるようになってきている。この際、無線ＬＡＮモジュールとして、ＰＣカードのようなカード型媒体が用いられることがある。この場合、画像形成装置の制御ボードにカード型媒体用のインターフェース回路を構成する回路基板を装着しておく。回路基板はカードスロットを搭載している。そこで、カードスロットにアンテナを内蔵する無線通信モジュールを差し込めば、画像形成装置において無線通信が可能となる。
【０００３】
ところが、画像形成装置に無線ＬＡＮモジュールを装着した場合、アンテナの設置場所や向きによっては良好な無線通信状態を確保できないことがある。とりわけ、画像形成装置は内部に板金部品が多く、これが無線通信の妨げになり易い。
【０００４】
これに対して、特許文献１は、複数個所にカードスロットを設置しておき、所望のカードスロットにアンテナを備えた無線通信モジュールを差し込むことができるようにした技術を紹介している。
【先行技術文献】
【特許文献】
【０００５】
【特許文献１】特開２００２−２５４７５３公報
【発明の概要】
【発明が解決しようとする課題】
【０００６】
特許文献１に記載されているように、画像形成装置の複数個所にカードスロットを設置しておけば、無線通信状態が良好なカードスロットに無線ＬＡＮモジュールを有するカード型媒体を差し込むことで、良好な無線通信の可能性が高まる。
【０００７】
しかしながら、カードスロットを複数設けるということは、インターフェース回路を搭載する回路基板も複数設けることを意味する。このため、どうしても部品コストの増加を招いてしまう。とりわけ、一つのカードスロットに複数種類のカード型媒体を差し込めるようになっている場合、必ずしも全ての顧客が無線通信を望むとは限らない。とするならば、無線通信を望まない顧客に対しては、過剰機能による無用なコスト高を押し付けることになり、甚だ不都合である。
【０００８】
しかも、特許文献１に記載されている技術では、カードスロットと一体のインターフェース回路の設置位置が画像形成装置の制御ボードの位置に依存するため、自由な位置にカードスロットを設置できるというわけではない。このため、例えば画像形成装置の異なる二面にカードスロットを設置するようなことが困難であり、カードスロットを複数個設置したとしても無線通信状態の大きな変化は望めない。
【０００９】
本発明は、このような点に鑑みなされたもので、部品コストの上昇を抑制しつつ、アンテナを内蔵する無線通信モジュールの設置位置の自由度を高めることを目的とする。
【課題を解決するための手段】
【００１０】
本発明は、画像形成部を制御部で制御して画像データに従った画像を記録媒体に形成する画像形成装置本体と、前記制御部に対してデータを入出力する入出力回路に接続され、前記画像形成装置本体のハウジングの少なくとも二箇所に配置されたコネクタと、前記コネクタに対して抜き差し自在なスロットコネクタと媒体を抜き差し自在に保持する媒体スロットとを備え、前記媒体スロットに差し込まれた無線ＬＡＮモジュールを含む前記媒体と前記スロットコネクタを介して接続される前記制御部との間のインターフェース機能をサポートするインターフェース回路を備えるスロットモジュールと、前記コネクタにスロットコネクタが差し込まれた状態で前記スロットモジュールを前記画像形成装置本体に保持させる保持部と、を備える画像形成装置に関する。
【００１１】
別の面から見た本発明は、画像形成部を制御部で制御して画像データに従った画像を記録媒体に形成する画像形成装置において、前記制御部に対してデータを入出力する入出力回路に接続された複数個のコネクタを前記画像形成装置本体のハウジングの少なくとも二箇所に配置しておき、無線ＬＡＮモジュールを含む媒体用の媒体スロットと前記媒体用のインターフェース回路とを一体に備えるスロットモジュールを所望の前記コネクタに接続できるようにした。
【発明の効果】
【００１２】
本発明によれば、媒体スロットとインターフェース回路とを備える単一のスロットモジュールを用意しておくだけで、このスロットモジュールが有しているスロットコネクタを所望の位置のコネクタに接続して媒体スロットに差し込まれる無線ＬＡＮモジュールのアンテナに対して最良の設置位置を与えることができ、したがって、スロットモジュールを複数用意する必要がないという理由から部品コストの上昇を抑制することができ、かつ、コネクタには配置上の制約が少ないという理由からアンテナを内蔵する無線通信モジュールの設置位置の自由度を高めることができる。
【図面の簡単な説明】
【００１３】
【図１】実施の一形態を示すラベルプリンタ（画像形成装置）の斜視図である。
【図２】コネクタの設置位置を示す模式図である。
【図３】ラベルプリンタの各部の電気的接続を示すブロック図である。
【発明を実施するための形態】
【００１４】
実施の一形態を図１ないし図３に基づいて説明する。本実施の形態は、ラベルプリンタ１０１への適用例を示す。
【００１５】
図１は、画像形成装置本体としてのラベルプリンタ１０１の斜視図である。ラベルプリンタ１０１は、矩形のハウジング１０２を有し、その右側上面及び側面は、上面に設けられたヒンジ１０３によって上開きするカバー１０４となっている。カバー１０４を開くと、ロール状に巻回された記録媒体としてのラベル用紙を収納するための用紙収納部（図示せず）、画像形成部としての印字エンジン１３１（図３参照）に含まれているライン型のサーマルプリンタヘッド（図示せず）、用紙収納部に収納されたラベル用紙をサーマルプリンタヘッドに案内する用紙案内経路（図示せず）等が露出し、ラベル用紙の交換作業や各部のメンテナンスができるようになっている。
【００１６】
ラベルプリンタ１０１のハウジング１０２は、その正面左側に操作表示パネル１０５を配置し、正面右側にラベル発行口１０６を配置している。
【００１７】
図１中、ラベルプリンタ１０１のハウジング１０２の正面及び右側面に見えるのは、コネクタカバー１０７である。コネクタカバー１０７は、ハウジング１０２の複数個所に設置されたコネクタ１０８を覆い保護するためのものである。これらのコネクタ１０８は、無線ＬＡＮモジュール３０１を含む媒体としてのカード型媒体３０２を装着するための媒体スロットとしてのカードスロット２０１を備えるスロットモジュール２０２を接続するためのものである（図２、図３参照）。スロットモジュール２０２は、そのスロットコネクタ２０３の抜き差しによってコネクタ１０８と接続する（図２、図３参照）。
【００１８】
図２は、コネクタ１０８の設置位置を示す模式図である。コネクタ１０８は、前述したハウジング１０２の正面に一つ（Ｃ１）、右側面に二つ（Ｃ２、Ｃ３）、左側面に二つ（Ｃ４、Ｃ５）、背面に二つ（Ｃ６、Ｃ７）用意されている。したがって、これらのコネクタ１０８は、ハウジングの異なる４面に配置されている。
【００１９】
また、コネクタ１０８は、差し込まれたスロットコネクタ２０３を保持可能で、これによってスロットモジュール２０２を保持する。したがって、コネクタ１０８は、スロットモジュール２０２をラベルプリンタ１０１に保持させる保持部を兼用する。これにより、保持部を別途用意する必要がなくなり、部品コストの低減、装置製造工程の簡略化等を図ることができる。
【００２０】
図３は、ラベルプリンタ１０１の各部の電気的接続を示すブロック図である。ラベルプリンタ１０１は、各部を制御する制御部１５１を有している。制御部１５１には、メモリ１５２が接続され、前述した操作表示パネル１０５や印字エンジン１３１、搬送系１３２、複数個のＩ／Ｏ１５３が接続されている。
【００２１】
メモリ１５２は、無線ＬＡＮモジュール３０１を介して受信した画像データを蓄えたり、各種の可変データを書き換え自在に記憶したりする。
【００２２】
印字エンジン１３１は、前述したようにサーマルプリンタヘッド（図示せず）を備え、メモリ１５２に蓄えられている画像データに従いサーマルプリンタヘッドを駆動制御してラベル用紙が有するラベル（図示せず）に画像形成を行なう。
【００２３】
搬送系１３２は、印字エンジン１３１による画像形成に際してラベル用紙を副走査方向に移動させるために、フィードローラやプラテンローラのモータ（いずれも図示せず）を駆動制御する。
【００２４】
Ｉ／Ｏ１５３は、制御部１５１に対してデータを入出力する入出力回路を構成する。一つのＩ／Ｏ１５３には、ハウジング１０２の各所に設置された複数個のコネクタ１０８が接続されている。ここで重要なことは、コネクタ１０８は、制御部１５１を構成する制御ボード等に搭載される必要がないということである。コネクタ１０８は、例えばリード線等を介してＩ／Ｏ１５３に接続していれば良く、その設置の自由度が極めて高い。
【００２５】
スロットモジュール２０２は、スロットコネクタ２０３を搭載する回路基板２０４を内蔵している。回路基板２０４には、カード型媒体３０２を抜き差し自在に保持するカードスロット２０１も接続している。したがって、回路基板２０４は、スロットコネクタ２０３を差し込んだコネクタ１０８を介してラベルプリンタ１０１の制御部１５１と接続し、カードスロット２０１に差し込まれたカード型媒体３０２が内蔵する無線ＬＡＮモジュール３０１とも接続する。このように回路基板２０４は、カード型媒体３０２とラベルプリンタ１０１の制御部１５１との間のインターフェース機能をサポートするインターフェース回路を構成している。したがって、カード型媒体３０２が無線ＬＡＮモジュール３０１を内蔵していれば、この無線ＬＡＮモジュール３０１と制御部１５１との間のインターフェース機能もサポートする。これにより、ラベルプリンタ１０１の制御部１５１は、無線ＬＡＮモジュール３０１によって外部機器と無線通信をすることができる。この際、無線ＬＡＮモジュール３０１は、そのアンテナ３０３を介して電波の送受信を行なう。
【００２６】
このような構成において、ラベルプリンタ１０１に対して無線通信を実行しようとする場合には、コネクタカバー１０７を外してコネクタ１０８を露出させ、スロットモジュール２０２のスロットコネクタ２０３を接続する。この際、スロットモジュール２０２のカードスロット２０１には、無線ＬＡＮモジュール３０１を内蔵するカード型媒体３０２を装着しておく。これにより、ラベルプリンタ１０１の制御部１５１は、無線ＬＡＮモジュール３０１を用いた無線通信により外部機器との間で無線通信を行なうことができ、例えば画像データを無線通信で受信したりすることができる。
【００２７】
ここで、無線通信を実行するに際しては、無線ＬＡＮモジュール３０１のアンテナ３０３の設置位置が重要である。無線ＬＡＮモジュール３０１がアクセスするアクセスポイントの位置とラベルプリンタ１０１の設置位置との関係等により、無線ＬＡＮモジュール３０１がそのアンテナ３０３を介して良好に無線通信できる位置や角度が様々に異なるからである。そこで、本実施の形態では、Ｃ１〜Ｃ７までの所望のコネクタ１０８にスロットモジュール２０２を装着し、そのコネクタ１０８の位置に無線ＬＡＮモジュール３０１を配置することが可能となる。そして、このような無線ＬＡＮモジュール３０１の設置位置の変更は、内部に板金部品が多く、これが無線通信の妨げになり易いラベルプリンタ１０１において、極めて有効である。
【００２８】
また、本実施の形態では、無線ＬＡＮモジュール３０１の位置を変更するに際して、スロットモジュール２０２を所望のコネクタ１０８に装着する。このため、スロットモジュール２０２を複数個用意する必要がない。これにより、部品コストの上昇を抑制することができる。
【００２９】
更に、コネクタ１０８はその設置上の制約が極めて少ないという理由から、アンテナ３０３を内蔵する無線ＬＡＮモジュール３０１の設置位置の自由度を高めることができる。
【符号の説明】
【００３０】
１０１  ラベルプリンタ（画像形成装置本体）
１０２  ハウジング
１０８  コネクタ（保持部）
１３１  印字エンジン（画像形成部）
１５１  制御部
１５３  Ｉ／Ｏ（入出力回路）
２０１  カードスロット
２０２  スロットモジュール
２０３  スロットコネクタ
２０４  回路基板（インターフェース回路）
３０１  無線ＬＡＮモジュール
３０２  カード型媒体
【図１】
2011062861.tif 000003
【図２】
2011062861.tif 000004
【図３】
2011062861.tif 000005